(57)【特許請求の範囲】
【請求項１】
所定の波長の硬化光を照射して固化させる光硬化樹脂と、
この光硬化樹脂が着設され前記硬化光を透過するフィルムと、を備え、
前記フィルムは、補強する歯の形状にならう柔軟性を有しており、
前記光硬化樹脂は粘着流動性を有し、
前記光硬化樹脂が流通し外表面に開口する流通空間を有する補強層をさらに備え、
前記光硬化樹脂が前記補強層に流通して保持されて着設された前記フィルムを歯に貼着した状態で、前記光硬化樹脂に前記硬化光を照射して当該光硬化樹脂を固化させることで前記フィルムと前記光硬化樹脂の固化層と歯とを固着して歯を補強することを特徴とする粘着補強フィルム。
【請求項２】
前記流通空間は、前記光硬化樹脂が流通する貫通孔であることを特徴とする請求項１に記載の粘着補強フィルム。
【請求項３】
前記補強層は、繊維層からなり、
前記流通空間は、前記繊維層の繊維が形成する隙間であることを特徴とする請求項１に記載の粘着補強フィルム。
【請求項４】
前記補強層は、複数が積層されていることを特徴とする請求項１から請求項３のいずれか１項に記載の粘着補強フィルム。
【請求項５】
前記補強する歯に巻き付けて使用することを特徴とする請求項１に記載の粘着補強フィルム。
【請求項６】
前記補強する歯のエナメル質の表層をそぎ落として形成した凹部領域に貼着して使用することを特徴とする請求項１に記載の粘着補強フィルム。
【請求項７】
前記硬化光の透過を規制して前記光硬化樹脂の硬化を防止する保護シートと、
前記光硬化樹脂が着設されたフィルムを所定の形に切り取る切り取り線と、
を備えたことを特徴とする請求項１に記載の粘着補強フィルム。
【請求項８】
前記フィルムは、基材フィルムと、この基材フィルムに貼着された貼り合わせフィルムと、を有し、
前記基材フィルムは前記貼り合わせフィルムよりも強靭性を備えたことを特徴とする請求項１に記載の粘着補強フィルム。
【請求項９】
前記フィルムは、前記光硬化樹脂を着設する凹部を備え、
前記凹部の中に前記光硬化樹脂を着設したことを特徴とする請求項１に記載の粘着補強フィルム。
【発明の詳細な説明】
【技術分野】
【０００１】
本発明は、歯科治療に供する粘着補強フィルムに係り、特に、光硬化樹脂が着設された粘着補強フィルムに関する。
【背景技術】
【０００２】
従来、虫歯の治療等で歯を削ると歯の強度が低下するため、歯を補強して機能性等を回復させるために冠状のクラウンで歯を被覆する治療方法が知られている（例えば、特許文献１）。
また、歯の部分的な欠損を修復するインレーという治療方法や、虫歯になりやすい歯の裂溝を未然にレジン（プラスチック）で封鎖するレジン充填等の治療方法が知られている。
【０００３】
クラウンやインレーは、金属、セラミック、レジン等の材料からなり、鋳造法や、歯科用ＣＡＤ／ＣＡＭ装置等によって補強する歯の形に適合するように造形されている。
またレジン充填は、光重合レジンを用い、歯牙の裂溝や破損個所へ接着した後に、光を照射して硬化させ、切削、研磨を行って元の歯牙と一体化させるように審美性を持たせて修復する（例えば、特許文献２）。
【先行技術文献】
【特許文献】
【０００４】
【特許文献１】特開２００９−１００８６９号公報
【特許文献２】特開平１０−２３４７５１号公報
【発明の概要】
【発明が解決しようとする課題】
【０００５】
しかしながら、鋳造法等によって補強する歯の形に適合するように造形するのは、製作日数や工数が増大して取り扱い性が悪く、医師や患者の負担が大きいという問題があった。また、不意に歯にクラックが入ったような場合には、迅速に処置をしないと患部の損傷が増大して修復が困難になるという問題があった。
また、歯科用ＣＡＤ／ＣＡＭ装置は非常に高価であり、安価に導入することが困難であるという問題があった。
また、レジン充填の場合、審美性はよいが金属やセラミックのような強度を得ることができないという問題があった。
【０００６】
そこで、本発明は、前記した問題点を解決すべく、簡易にかつ迅速に歯の損傷を修復して補強することができる粘着補強フィルムを提供することを課題とする。
【課題を解決するための手段】
【０００７】
前記課題を解決するため、請求項１に係る発明は、所定の波長の硬化光を照射して固化させる光硬化樹脂と、この光硬化樹脂が着設され前記硬化光を透過するフィルムと、を備えた粘着補強フィルムであって、前記フィルムは、補強する歯の形状にならう柔軟性を有しており、前記光硬化樹脂は粘着流動性を有し、前記光硬化樹脂が流通し外表面に開口する流通空間を有する補強層をさらに備え、前記光硬化樹脂が前記補強層に流通して保持されて着設された前記フィルムを歯に貼着した状態で、前記光硬化樹脂に前記硬化光を照射して当該光硬化樹脂を固化させることで前記フィルムと前記光硬化樹脂の固化層と歯とを固着して歯を補強することを特徴とする。
【０００８】
本発明に係る粘着補強フィルムは、光硬化樹脂が塗布等によって着設されたフィルムを備えたことで、フィルムに柔軟性を持たせることができるため、補強する歯の形状に簡易に適合させることができる。また、フィルムに光硬化樹脂が着設されているため、例えば、光硬化樹脂の粘着性を利用して容易に補強しようとする歯に貼り付けることができる。
このため、鋳造法のように成形型を製作して補強部材を造形する必要がないので、製作期間や工数を大幅に低減することができる。
【０００９】
例えば、歯にクラック等の損傷が発生したり、虫歯の治療等で歯を削ったりして強度が低下した歯に粘着補強フィルムを貼着して修復することができる。
また、フィルムは、前記硬化光を透過する性質を備えているため、前記光硬化樹脂が着設されたフィルムを歯に貼着した状態で前記硬化光を照射して当該光硬化樹脂を固化させることで、固化された光硬化樹脂によって歯を補強することができる。
【００１０】
このようにして、本発明に係る粘着補強フィルムは、簡易にかつ迅速に歯の損傷を修復して補強することができる。
【００１２】
また、フィルム層を補強する補強層を備えたことで、フィルム層には、優先的に硬化光を透過する性質を持たせて、補強層には優先的に強度を持たせることができるため、フィルムに十分な強度を与えることができる。
また、補強層は、外表面に開口する流通空間を備えたことで、外表面に開口する流通空間に光硬化樹脂を流通させることができるため、流通空間に流通する光硬化樹脂を介してフィルム層および補強層と補強する歯とを強固に接合させることができる。
【００１３】
請求項２に係る発明は、請求項１に記載の粘着補強フィルムであって、前記流通空間は、前記光硬化樹脂が流通する貫通孔であることを特徴とする。
【００１４】
請求項２に係る発明によれば、補強層は、前記光硬化樹脂が流通する貫通孔を備えたことで、貫通孔に光硬化樹脂を流通させることができるため、貫通孔に流通する光硬化樹脂を介してフィルム層および補強層と補強する歯とを強固に接合させることができる。
【００１５】
請求項３に係る発明は、請求項１に記載の粘着補強フィルムであって、前記補強層は、繊維層からなり、前記流通空間は、前記繊維層の繊維が形成する隙間であることを特徴とする。
【００１６】
請求項３に係る発明によれば、フィルム層を補強する繊維層を備えたことで、フィルム層には、優先的に硬化光を透過する性質を持たせて、繊維層には優先的に強度を持たせることができるため、フィルムに十分な強度を与えることができる。
また、繊維層は、光硬化樹脂が流通する隙間を有する繊維の特性を利用することで、この隙間に光硬化樹脂を流通させることができるため、隙間に流通する光硬化樹脂を介してフィルム層と繊維層および補強する歯を強固に接合させることができる。
【００１７】
請求項４に係る発明は、請求項１から請求項３のいずれか１項に記載の粘着補強フィルムであって、前記補強層は、複数が積層されていることを特徴とする。
【００１８】
請求項４に係る発明によれば、前記補強層は複数が積層されていることで、種々の補強層を組み合わせて歯を補強することができる。このため、例えば、下層には補強に適した補強層を形成し、上層には審美性に適した補強層を形成することができることから、多目的な治療方法が可能となる。
【００２１】
請求項５に係る発明は、請求項１に記載の粘着補強フィルムであって、前記補強する歯に巻き付けて使用することを特徴とする。
【００２２】
請求項５に係る発明によれば、前記補強する歯に巻き付けて使用することで、歯の補強の強度を高めるとともに、例えば幅の狭い帯状のフィルムを螺旋状に巻回することができるため歯の形状に適合させやすくことができる。このため、前歯に発生したクラックの治療に好適に対応することができる。
【００２３】
請求項６に係る発明は、請求項１に記載の粘着補強フィルムであって、前記補強する歯のエナメル質の表層をそぎ落として形成した凹部領域に貼着して使用することを特徴とする。
【００２４】
請求項６に係る発明によれば、前記補強する歯のそぎ落とした凹部領域に貼着して使用することで、フィルムの外表面と歯の表面との高さを面一にすることができるため、フィルムを貼着したことによる違和感を解消するとともに、フィルムが剥がれにくくすることができる。
また、凹部領域に貼着することで、歯を削る修復面積を最小限に留めることができるため、クラックの部分的な補強が可能となり、患者の負担を低減することができる。
【００２５】
請求項７に係る発明は、請求項１に記載の粘着補強フィルムであって、前記硬化光の透過を規制して前記光硬化樹脂の硬化を防止する保護シートと、前記光硬化樹脂が着設されたフィルムを所定の形に切り取る切り取り線と、を備えたことを特徴とする。
【００２６】
請求項７に係る発明によれば、保護シートおよび切り取り線を備えたことで、保存しやすく、使用しやすい形状に切り取ることができるため、取り扱い性を向上させることができる。
【００２７】
請求項８に係る発明は、請求項１に記載の粘着補強フィルムであって、前記フィルムは、基材フィルムと、この基材フィルムに貼着された貼り合わせフィルムと、を有し、前記基材フィルムは前記貼り合わせフィルムよりも強靭性を備えたことを特徴とする。
【００２８】
請求項８に係る発明によれば、基材フィルムと貼り合わせフィルムを複合させたことで、多種多様な用途に適合させやすくなり、強靭性を確保しながら、取り扱い性を向上させることができる。
【００２９】
請求項９に係る発明は、請求項１に記載の粘着補強フィルムであって、前記フィルムは、前記光硬化樹脂を着設する凹部を備え、前記凹部の中に前記光硬化樹脂を着設したことを特徴とする。
【００３０】
請求項９に係る発明によれば、前記凹部の中に前記光硬化樹脂を着設したことで、凹部の中に光硬化樹脂を埋設することができるため、例えば歯間に粘着補強フィルムを差し込んで装着するような場合でも光硬化樹脂が削ぎ落ちないようにすることができる。
【発明の効果】
【００３１】
本発明に係る粘着補強フィルムは、簡易にかつ迅速に歯の損傷を修復して補強することができる。
【図面の簡単な説明】
【００３２】
【図１】本発明の第１の実施形態に係る粘着補強フィルムの構成を示す斜視図であり、（ａ）は外観の状態、（ｂ）は所定の形状に切り取る状態を示す。
【図２】本発明の第１の実施形態に係る粘着補強フィルムを使用して補強した歯を示す正面図である。
【図３】本発明の第１の実施形態に係る粘着補強フィルムを歯に巻き付ける使用例を示す斜視図であり、（ａ）は粘着補強フィルムを巻き付ける前の状態、（ｂ）は巻き付けた後の状態を示す。
【図４】本発明の第１の実施形態に係る粘着補強フィルムをパッチ状に貼り付ける使用例を示す斜視図である。
【図５】本発明の第１の実施形態に係る粘着補強フィルムをパッチ状に貼り付ける使用例を示す斜視図であり、（ａ）は粘着補強フィルムを巻き付ける前の状態、（ｂ）は巻き付けている状態、（ｃ）は巻き付けた後にラミネートベニヤを装着する状態、（ｄ）はベニヤを装着して治療が終了した状態を示す。
【図６】本発明の第１の実施形態に係る粘着補強フィルムの使用方法を説明する正面図であり、（ａ）は粘着補強フィルムを巻き付ける前の状態、（ｂ）は巻き付けた状態、（ｃ）は巻き付けた後に硬化光を照射する様子、（ｄ）は歯の補強が完成した状態を示す。
【図７】本発明の第１の実施形態に係る粘着補強フィルムを使用した歯の治療方法を示す正面図であり、（ａ）から（ｄ）は治療の流れを示し、（ｅ）はそれぞれ異なる完成した状態を示す。
【図８】本発明の第２の実施形態に係る粘着補強フィルムの補強層の構成を示す平面断面図であり、（ａ）は不織布からなる補強層、（ｂ）はカーボン繊維強化樹脂からなる補強層、（ｃ）は積層された補強層である。
【図９】本発明の第１の実施形態に係る複合粘着補強フィルムの変形例１の構成を示す斜視図である。
【図１０】本発明の変形例２に係る粘着補強フィルムの構成と使用例を示す図であり、（ａ）は装着する歯間を示す正面図、（ｂ）は粘着補強フィルムの構成を示す（ｃ）のＩ−Ｉ断面図、（ｃ）は粘着補強フィルムの構成を示す（ｂ）の平面図、（ｄ）は粘着補強フィルムを歯間に装着した状態を示す正面図である。
【発明を実施するための形態】
【００３３】
本発明の第１の実施形態に係る粘着補強フィルム１について、主として図１〜図４を参照しながら詳細に説明する。なお、粘着補強フィルム１は、説明の便宜上、厚さ等のサイズを誇張して表現する。
〈補強層を有しない形態〉
第１の実施形態に係る粘着補強フィルム１は、図１に示すように、所定の波長の硬化光を照射して固化させる光硬化樹脂２と、この光硬化樹脂２が着設されたフィルム３と、を備えている。
なお、図１において、説明の便宜上、光硬化樹脂２とフィルム３とを区別するために光硬化樹脂２にドットを付して表示したものであって、外観を表示するものではない。
【００３４】
粘着補強フィルム１には、取り扱いを容易にするために、光硬化樹脂２の硬化を防止する保護シート４が貼り付けられ、さらに光硬化樹脂２が着設されたフィルム３を所定の形状に切り取ることができる切り取り線５が設けられている。
粘着補強フィルム１は、光硬化樹脂２が着設されたフィルム３を歯Ｗ（図２）に貼着した状態で硬化光Ｌ（図６（ｃ）参照）を照射して光硬化樹脂を固化させてクラック等が入って損傷した歯Ｗ（図２参照）を補強する歯の治療用に使用される。
【００３５】
光硬化樹脂２は、塗布等によって薄膜状に着設された層を形成し、可視光や紫外線等の所定の波長を含む硬化光Ｌ（図６（ｃ）参照）を照射すると光エネルギーを吸収して液体から固体に変化する特性を有する樹脂であり、この特性を利用して接着剤として使用することができる。
光硬化樹脂２は、例えば波長が４５０〜５２０ｎｍの可視光を含む硬化光を照射すると硬化する光重合レジン等を使用することができる。
【００３６】
なお、本実施形態においては、光硬化樹脂２は、粘着流動性を有し、フィルム３に塗布して薄膜状に形成したが、製法を限定する意図ではなく、シート状に成形した光硬化樹脂２をフィルム３に着設してもよく、所定の領域を有する点状、線状、ジグザグ状に形成することもできる。
【００３７】
硬化光Ｌ（図６（ｃ）参照）は、特に、取り扱いが容易であり透過性がよいことから可視光を使用するのが好適であり、例えば波長が４５０〜５２０ｎｍの可視光を含む硬化光を照射する照射手段としては、ハロゲンランプやＬＥＤを使用することができる。
【００３８】
フィルム３は、光硬化樹脂２を硬化させる所定の波長の硬化光Ｌ（図６（ｃ）参照）を透過する樹脂からなり、柔軟性を確保するため０．３〜０．５ｍｍ程度の厚さのシート状に成形した材料を使用することができる。
フィルム３は、例えば波長が４５０〜５２０ｎｍの可視光に対する透過性が優れ、伸びを少なくして強度を確保する材質が望ましい。このため、硬化光Ｌ（図６（ｃ）参照）に対する所定の波長の光に対する透過性が確保できれば、必ずしも無色透明である必要はなく白色に着色したり、カーボン繊維等で強化したりした材質を使用してもよい。
【００３９】
例えば、フィルム３は、前記波長の透過性がよく、医療用に適したポリプロピレン（ＰＰ）、ポリエチレン（ＰＥ）、ポリエステル（ＰＥＴ）、ポリウレタンが好ましい。また強靭性の優れたポリイミドや、抗張力があり伸びない硬いフィルムとして、二軸延伸フィルム（伸びやすい性質をもつ無延伸フィルムを逐次二軸延伸機などによって縦方向、或いは縦横方向に伸ばして作られたフィルム）を使用しても良い。例えば二軸延伸ポリプロピレン、二軸延伸ポリエステル等がある。
【００４０】
〈変形例１〉
更に、フィルム３は、単体フィルムに限らず、図９に示すように、複合粘着補強フィルム１Ｄであっても良い。
複合粘着補強フィルム１Ｄは、異なる機能を持つフィルムを貼り合わせて、フィルムの必要な様々な機能を持ったもので、単体フィルムの短所をカバーし、長所を増長させることが可能である。
【００４１】
複合フィルム１Ｄは、基材フィルム３１と、この基材フィルム３１に貼着された貼り合わせフィルム３２と、を備えて構成することができる。
例えば、基材フィルム３１として透過性のよい強靭なフィルムを使用し、貼り合わせフィルム３２として光硬化樹脂２との接着強度が高いフィルムを使用すれば、剥がれにくくフィルムと一体で固化補強することが可能となる。
一方、貼り合わせフィルム３２として光硬化樹脂２との接着強度が低く剥離性の良いフィルムを使用すれば、光硬化樹脂２が固化した後にフィルムを剥がして使用することが可能となる。
また、一般的に可視光領域の波長より繊維径が大きい補強材料を透明樹脂に含有すると、可視光の光散乱が生じ、その結果、樹脂の透明性が損なわれてしまう。そこで木材や草本から得られるセルロース繊維等の食物繊維を用いた樹脂補強材と透明樹脂とを複合させた透明樹脂複合材からなる複合フィルムを用いてもよい。
【００４２】
保護シート４は、光硬化樹脂２が自然光等にさらされて硬化したり、粘着性によって不用意にくっついたりしないように光硬化樹脂２を保護するためのシートであり、フィルム３を歯Ｗ（図２参照）に貼着するときには、粘着補強フィルム１から剥がして使用する。
【００４３】
切り取り線５は、歯Ｗ（図２参照）に適合するように粘着補強フィルム１を使用しやすい形状に切り取るための切り込みであり、フィルム３を保護シート４から剥がして切り離してもよいし、フィルム３を保護シート４と一緒に切り離して歯Ｗ（図２参照）に貼着する際に剥がしてもよい。
【００４４】
粘着補強フィルム１は、切り取り線５を備えたことで、横長の矩形状の粘着補強フィルム１ａ（図３参照）、略正方形のパッチ状の粘着補強フィルム１ｂ（図４参照）、細長い帯状の形状の粘着補強フィルム１ｃ（図５参照）の他、コーナを丸めた形状や楕円や円形等種々の形状（不図示）の粘着補強フィルム１を製作することができる。
【００４５】
粘着補強フィルム１は、図３に示すように治療する歯Ｗ１に鉢巻き状に巻きつけたり、図４に示すようにパッチ状に治療する歯Ｗ２に貼り付けたり、図５に示すように帯状に治療する歯Ｗ２に巻き回して使用したりすることができる。
【００４６】
粘着補強フィルム１ａは、図３に示すように、鉢巻き状に巻きつけることができる所定の長さを有するシート状の柔軟なフィルムである。
使用者（不図示）は、治療する歯Ｗ１に対して、粘着補強フィルム１ａのサイズに合わせてエナメル質の表層を薄くそぎ落とした凹部領域Ｗａを形成し（図３（ａ）参照）、この凹部領域Ｗａに粘着補強フィルム１ａを貼着した状態で硬化光Ｌ（図６（ｃ）参照）を照射して光硬化樹脂２を固化させてクラックＣＬ１等が入って損傷した歯Ｗ１を補強する（図３（ｂ）参照）。
【００４７】
歯と歯の間のエナメル質の表層を薄くそぎ落とす加工方法として、例えば歯間に、ペーパー状のヤスリ（例えば、フィルムの片側にダイヤモンド砥粉をコーティングしたものを使用する）を差し込んで往復運動して加工する。
【００４８】
粘着補強フィルム１ａは、歯Ｗ１の幅方向で包み込むようにクラックＣＬ１を覆うことができるため、十分な補強強度を確保するために特に好適である。
【００４９】
粘着補強フィルム１ｂは、図４に示すように、クラックＣＬ２（図２参照）に適合するサイズに形成したパッチ状に形成したフィルムである。
使用者（不図示）は、治療する歯Ｗ２に対して、粘着補強フィルム１ｂのサイズに合わせてエナメル質の表層を薄くそぎ落とした凹部領域Ｗｂを形成し、この凹部領域Ｗｂに粘着補強フィルム１ｂを貼着した状態で硬化光Ｌ（図６（ｃ）参照）を照射して光硬化樹脂２を固化させてクラックＣＬ２等が入って損傷した歯Ｗ２を補強する。
【００５０】
粘着補強フィルム１ｂは、軽微なクラックＣＬ２や虫歯による小さな穴を簡易に修復することができるため、特に好適である。
【００５１】
粘着補強フィルム１ｃは、図５に示すように、治療する歯Ｗ３に巻き回すことができる所定の長さを有する細長の帯状の柔軟なフィルムである。
使用者（不図示）は、治療する歯Ｗ３に対して、患部のサイズに合わせてエナメル質の表層を薄くそぎ落とした凹部領域Ｗｃを形成し（図５（ａ）参照）、この凹部領域Ｗｃに粘着補強フィルム１ｃを貼着した状態で硬化光Ｌ（図６（ｃ）参照）を照射して光硬化樹脂２を固化させてクラックＣＬ３（図２参照）等が入って損傷した歯Ｗ３を補強する（図５（ｃ）参照）。
【００５２】
粘着補強フィルム１ｃは、歯Ｗ３の幅方向で包み込むようにクラックＣＬ３を覆うことができるため、十分な補強強度を確保するとともに、治療する歯Ｗ３の形状やクラックＣＬ３の長さに適合させやすいために特に好適である。
【００５３】
なお、粘着補強フィルム１ｃを巻き回した後にラミネートベニヤＬＶを装着することで、仕上がりの審美性を向上させることができるが（図５（ｃ）と（ｄ）参照）、特に限定されるものではない。
【００５４】
以上のように構成された本発明の第１の実施形態に係る粘着補強フィルム１ａの使用方法について、主として図６を参照しながら説明する。図６は、粘着補強フィルムの使用方法を示す正面図である。図６において、説明の便宜上、光硬化樹脂２は、ドットを付して表示し、光硬化する前は薄いドット（図６（ｂ）参照）で表示し、光硬化して固化した状態を濃いドット（図６（ｃ）参照）で表示したが、外観の変化を表示する意図ではない。また、フィルム３は、透明であるものを例として図示したが、透明に限定されるものではない。図６（ｄ）は光硬化樹脂２にドットを付さずに表示した。
【００５５】
図６（ａ）に示すように、使用者（不図示）は、治療する歯Ｗ１に対して、粘着補強フィルム１ａのサイズに合わせてエナメル質の表層を薄くそぎ落とした凹部領域Ｗａを形成する。そして、使用者は、この凹部領域Ｗａに対して、図６（ｂ）に示すように、粘着補強フィルム１ａの光硬化樹脂２が着設された面を歯Ｗ１の表面に巻き付けるようにして貼着する（図３（ａ）を参照）。
【００５６】
その後、図６（ｃ）に示すように、使用者は、粘着補強フィルム１ａを歯Ｗ１に貼着した状態で硬化光Ｌを照射して光硬化樹脂２を固化させる。光硬化樹脂２が固化することで、光硬化樹脂２の固化層２ａがフィルム３と歯Ｗ１との間に形成されるため、フィルム３と光硬化樹脂２の固化層２ａと歯Ｗ１とが固着された状態となる。光硬化樹脂２が固化して形成される固化層２ａは、接着剤としての機能を発揮するとともに、固化することで所定の剛性を有するため、所定の強度を有するフィルム３と協働してクラックＣＬ１等が入って損傷した歯Ｗ１を補強することができる（補強する機能）。
【００５７】
なお、本実施形態においては、光硬化樹脂２が固化して形成される固化層２ａが所定の強度を有するフィルム３と協働して歯Ｗ１を補強したが、これに限定されるものではなく、光硬化樹脂２が固化した後にフィルム３を剥がして光硬化樹脂２が固化して形成される固化層２ａのみで歯Ｗ１を補強することも可能である。
【００５８】
〈フィルムを剥がして使用する実施例〉
光硬化樹脂２が固化した後にフィルム３を剥がして光硬化樹脂２が固化して形成される固化層２ａのみで歯Ｗ１を補強する治療方法について、図７を参照しながら説明する。
参照する図７は、フィルムを剥がして粘着補強フィルムを使用する場合における歯の治療方法を示す正面図であり、（ａ）から（ｄ）は治療の流れを示し、（ｅ）はそれぞれ異なる完成した状態を示す。
【００５９】
使用者（不図示）は、図７（ａ）に示すように、治療する歯Ｗ１に対して、粘着補強フィルム１ａのサイズに合わせて薄くそぎ落とした凹部領域Ｗａを形成する。粘着補強フィルム１ａは剥がして使用するため、歯Ｗ１の表面よりも高くなってもよい。そして、使用者は、この凹部領域Ｗａに対して、図７（ｂ）に示すように、粘着補強フィルム１ａの光硬化樹脂２が着設された面を歯Ｗ１の表面に巻き付けるようにして貼着する（図３（ａ）を参照）。
【００６０】
その後、図７（ｃ）に示すように、使用者は、粘着補強フィルム１ａを歯Ｗ１に貼着した状態で硬化光Ｌを照射して光硬化樹脂２を固化させる。使用者は、光硬化樹脂２を固化させた後、図７（ｄ）に示すように、フィルム３を剥がしてから歯Ｗ１の表面を研磨して仕上げる。このようにして、フィルム３を剥がしてから歯Ｗ１の表面を研磨して仕上げた治療方法による歯Ｗ１１を図７（ｅ）の上段に示す。
【００６１】
また、フィルム３を剥がしてから歯Ｗ１の表面を研磨した後（図７（ｄ）参照）、ラミネートベニヤＬＶを装着して仕上げた治療方法による歯Ｗ１２を図７（ｅ）の中段に示す。
また、フィルム３を剥がしてから歯Ｗ１の表面を研磨した後（図７（ｄ）参照）、樹脂を縫って仕上げた治療方法による歯Ｗ１３を図７（ｅ）の下段に示す。
【００６２】
〈補強層を有する形態〉
本発明の第２の実施形態に係る粘着補強フィルム１Ａ，１Ｂ，１Ｃについて、主として図８を参照しながら詳細に説明する。参照する図８は、粘着補強フィルムの補強層の構成を示す図４の平面断面図である。
【００６３】
なお、粘着補強フィルム１Ａ，１Ｂ，１Ｃは、光硬化樹脂２が流通可能な補強層６（６Ａ，６Ｂ，６Ｃ）を備えた点で第１の実施形態に係る粘着補強フィルム１と相違するが、それ以外は同様であるので、同様の構成については同じ符号を付して重複する詳細な説明は省略する。
また、本実施形態では、パッチ状の粘着補強フィルム１Ａ，１Ｂ，１Ｃについて説明するが、帯状や鉢巻き状の粘着補強フィルムについても同様に適用することができる。
【００６４】
補強層６（６Ａ，６Ｂ，６Ｃ）は、図８（ａ）に示す不織布等の繊維や図８（ｂ）に示すカーボン繊維強化樹脂の他、図８（ｃ）に示すように種々の繊維や樹脂等を複数に積層したシート状または層状の補強部材である。
【００６５】
補強層６（６Ａ，６Ｂ，６Ｃ）は、光硬化樹脂２が流通し外表面に開口する流通空間６ａを有する。
具体的には、図８（ａ）に示すように、補強層６Ａは、繊維が形成する隙間６１ａを有する不織布６１Ａと、隙間６１ａに充填された光硬化樹脂２と、を備えている。補強層６Ａにおける流通空間６ａは、不織布６１Ａを構成する繊維が形成する隙間６１ａであり、この隙間６１ａを利用して光硬化樹脂２を充填する。
かかる構成により、補強層６Ａは、繊維が形成する隙間６１ａに充填された光硬化樹脂２に硬化光Ｌ（図６（ｃ）参照）を照射して固化させることで、フィルム３と協働して歯Ｗ２を補強することができる。
【００６６】
なお、補強層６Ａは、不織布６１Ａを構成する繊維が形成する隙間６１ａを利用したが、これに限定されるものではなく、不織布でなくても織られた繊維でもよいし、繊維が隙間を形成できればカーボン繊維等であっても同様に適用することができる。
【００６７】
補強層６Ｂは、図８（ｂ）に示すように、光硬化樹脂２が流通する多数の貫通孔６１ｂが形成されたカーボン繊維強化樹脂６１Ｂと、多数の貫通孔６１ｂに充填された光硬化樹脂２と、を備えている。補強層６Ｂにおける流通空間６ａは、カーボン繊維強化樹脂６１Ｂに形成された貫通孔６１ｂであり、この隙間６１ａを利用して光硬化樹脂２を充填する。
【００６８】
かかる構成により、光硬化樹脂２は、貫通孔６１ｂを流通してカーボン繊維強化樹脂６１Ｂの表面と裏面を覆うように着設されるため、貫通孔６１ｂが隙間６１ａ（図８（ａ）参照）と同様の機能を奏し、光硬化樹脂２に硬化光Ｌ（図６（ｃ）参照）を照射して固化させることで、フィルム３と協働して歯Ｗ２を補強することができる。
なお、本実施例では、補強層６Ｂとしてカーボン繊維強化樹脂６１Ｂを使用したが、これに限定されるものではなく、カーボン繊維ではなく強度および耐熱性が高いパラ系アラミド繊維を適用することもできる。
【００６９】
補強層６Ｃは、図８（ｃ）に示すように、補強層６Ａと、補強層６Ｂと、を備え、これらの層が積層されている。かかる構成により、補強層６Ａおよび補強層６Ｂを複合した機能を奏する。
【００７０】
以上のように構成された本発明の実施形態に係る粘着補強フィルム１は、以下のような作用効果を奏する。
つまり、粘着補強フィルム１は、光硬化樹脂２が塗布等によって着設されたフィルム３を備えたことで、フィルム３に柔軟性を持たせることができるため、補強する歯Ｗの形状に簡易に適合させることができる。また、フィルム３に光硬化樹脂２が着設されているため、光硬化樹脂２の粘着性を利用して容易に補強しようとする歯に貼り付けて使用することができる。
【００７１】
また、フィルム３は、硬化光Ｌを透過する性質を備えているため、光硬化樹脂２が着設されたフィルム３を歯Ｗに貼着した状態で硬化光Ｌを照射して光硬化樹脂２を固化させることで、固化された光硬化樹脂２によって歯Ｗを補強することができる。
【００７２】
以上、本発明の実施形態について説明したが、本発明は前記した実施形態に限定されず、適宜変更して実施することが可能である。
例えば、本実施形態においては、フィルム３は、０．３〜０．５ｍｍ程度の厚さのシート状に成形した材料を使用が、これに限定されるものではなく、平らなシート状の他、歯の形状に適合する立体的な曲面に成形したものでもよい。
【００７３】
〈変形例２〉
また、前記した実施形態においては、フィルム３に光硬化樹脂２を均一に塗布して着設したが、図１０（ｂ）に示すように、フィルム３Ｅにへこみ、くぼみ、削り込み等による凹部８を形成して、この凹部８の中に光硬化樹脂２を埋設してもよい。
本発明の変形例２に係る粘着補強フィルム１Ｅは、図１０に示すように、フィルム３Ｅに光硬化樹脂２を着設する凹部８を備え、凹部８の中に光硬化樹脂２を着設している。
【００７４】
かかる構成によれば、粘着補強フィルム１Ｅは、凹部８の中に光硬化樹脂２を埋設したことで、例えば歯間に粘着補強フィルム１Ｅを差し込んで装着するような場合でも光硬化樹脂２が削ぎ落ちないようにすることができる。
また、図１０（ｂ）に示すように、凹部８は、歯間Ｗ４０（図１０（ａ）参照）の形状に適合するように差し込み方向の先端側を細く、後端側を太くした断面視で三角形状にしたことで、差し込みやすくしかも差し込んだ後はずれにくくなっている（図１０（ｄ）参照）。
【００７５】
なお、本変形例２では、説明の便宜上、補強層６（図８参照）を有しない実施例を説明したが、補強層６を有する場合であっても同様である。また、フィルム３Ｅは、剥がしてもよいし、フィルム３Ｅを剥がしてから歯Ｗ４の表面を磨いてもよいが、図７と同様であるので、重複する説明は省略する。
【符号の説明】
【００７６】
１，１ａ，１ｂ，１ｃ      粘着補強フィルム
１Ａ，１Ｂ，１Ｃ    粘着補強フィルム
１Ｄ    複合粘着補強フィルム
１Ｅ    粘着補強フィルム
２      光硬化樹脂
２ａ    固化層
３      フィルム
３Ｄ      複合フィルム
４      保護シート
５      切り取り線
６，６Ａ，６Ｂ，６Ｃ      補強層
６ａ，６１ａ，６１ｂ    流通空間
３１    基材フィルム
３２    貼り合わせフィルム
６１Ａ  不織布
６１Ｂ  カーボン繊維強化樹脂
６１ａ  隙間
６１ｂ  貫通孔
８      凹部
ＣＬ１，ＣＬ２，ＣＬ３    クラック
Ｌ      硬化光
ＬＶ    ラミネートベニヤ
Ｗ      歯
Ｗ１，Ｗ２，Ｗ３    歯
Ｗ１１，Ｗ１２，Ｗ１３  歯
Ｗａ，Ｗｂ，Ｗｃ    凹部領域
【図１】
0006593996.tif 000002
【図２】
0006593996.tif 000003
【図３】
0006593996.tif 000004
【図４】
0006593996.tif 000005
【図５】
0006593996.tif 000006
【図６】
0006593996.tif 000007
【図７】
0006593996.tif 000008
【図８】
0006593996.tif 000009
【図９】
0006593996.tif 000010
【図１０】
0006593996.tif 000011